(57)【特許請求の範囲】
【請求項１】
ズーム光学系で構成される撮影光学系により撮像領域に投影された被写体像を光電変換する撮像部と、
被写体距離を検出する測距部と、
前記ズーム光学系の焦点距離を変更するズーム変更部と、
前記ズーム変更部により前記ズーム光学系のズームポジションが所定の焦点距離に変更された前記撮影光学系により前記撮像部の撮像領域を前記被写体距離の位置に投影したものである撮影範囲を算出する撮影範囲演算部と、
前記撮影範囲および前記撮像部の画素数に基づいて、前記撮像部からの画像情報に基づく被写体画像が前記撮影範囲とほぼ等しい大きさに印刷される印刷解像度を算出する印刷解像度演算部と、
前記印刷解像度をタグ情報に含むヘッダ情報を前記画像情報とともに記憶領域に記憶させる記憶制御部とを備えたことを特徴とする電子カメラ。
【請求項２】
ズーム光学系で構成される撮影光学系により撮像領域に投影された被写体像を光電変換する撮像部と、
被写体距離を算出する測距部と、
前記ズーム光学系の焦点距離を変更するズーム変更部と、
前記ズーム変更部により前記ズーム光学系のズームポジションが所定の焦点距離に変更された前記撮影光学系により前記撮像部の撮像領域を前記被写体距離の位置に投影したものである撮影範囲を算出する撮影範囲演算部と、
印刷倍率を設定する倍率設定部と、
前記撮影範囲、前記撮像部の画素数および前記印刷倍率に基づいて、前記撮像部からの画像情報に基づく被写体画像が、前記撮影範囲の大きさに前記印刷倍率を乗じた大きさとほぼ等しい大きさに印刷される印刷解像度を算出する印刷解像度演算部と、
前記印刷解像度および前記印刷倍率をタグ情報に含むヘッダ情報を前記画像情報とともに記憶領域に記憶させる記憶制御部とを備えたことを特徴とする電子カメラ。
【請求項３】
請求項１または２に記載の電子カメラにおいて、
前記撮像部により撮像された被写体画像および前記記憶領域に記憶された画像情報に基づく被写体画像を選択的に表示する表示モニタを備え、
前記表示モニタの表示範囲の大きさと前記画素数を前記印刷解像度で除した値との比である表示倍率を、前記被写体画像とともに前記表示モニタに表示することを特徴とする電子カメラ。
【請求項４】
請求項１〜３のいずれかに記載の電子カメラにおいて、
前記印刷解像度の演算および前記印刷解像度の前記記憶領域への記憶が行われる実行モード、および前記印刷解像度の演算および記憶が行われない非実行モードのいずれか一方を選択的に設定するモード設定手段と、
前記モード設定手段により前記実行モードが設定されたときに、前記ズームポジションが前記所定の焦点距離となるように前記ズーム変更部を制御するズーム制御部とを備えたことを特徴とする電子カメラ。
【請求項５】
請求項４に記載の電子カメラにおいて、
前記モード設定手段により前記実行モードが設定されたときに、前記ズーム制御部は、前記ズーム光学系がマクロ撮影状態となるように前記ズーム変更部を制御することを特徴とする電子カメラ。
【請求項６】
請求項５に記載の電子カメラにおいて、
前記マクロ撮影状態を解除する解除手段と、
前記実行モード時に前記解除手段によりマクロ撮影状態が解除されたときに、前記実行モードを前記非実行モードへと切り換えるモード制御手段とを備えたことを特徴とする電子カメラ。
【請求項７】
請求項１〜６のいずれかに記載の電子カメラにおいて、
前記撮影範囲が所定範囲外のときに、警告動作を行う警告手段を設けたことを特徴とする電子カメラ。
【請求項８】
請求項１〜７のいずれかに記載の電子カメラと、
前記記憶領域に記憶された印刷解像度および画像情報に基づいて被写体画像を印刷する印刷装置とを備えたことを特徴とするカメラシステム。
【請求項９】
請求項８に記載のカメラシステムにおいて、
前記印刷解像度が予め定められた印刷解像度範囲に含まれない場合、前記印刷解像度範囲に含まれる所定印刷解像度となるように前記画像情報を処理する画像処理部を備え、  前記印刷装置は、前記画像処理部で処理された画像情報および前記所定印刷解像度に基づいて印刷することを特徴とするカメラシステム。
【発明の詳細な説明】
【０００１】
【発明の属する技術分野】
本発明は、電子カメラ、および撮影した被写体画像を指定した倍率で印刷することができるカメラシステムに関する。
【０００２】
【従来の技術】
従来、電子カメラで撮影した後には、撮影された画像データはメモリカード等の記録媒体や通信ケーブル等を介してパソコンに取り込まれるのが一般的である。このパソコンに取り込まれた画像は、プリンタを用いて印刷することができる。その場合、例えば印刷用のアプリケーションソフトにより印刷サイズや印刷解像度を指定して印刷を行うことができる。
【０００３】
【発明が解決しようとする課題】
しかしながら、所望の印刷サイズや印刷解像度で印刷ができても、撮影された被写体を実物と同じ大きさ（等倍）または指定の倍率で印刷しようとした場合、適当な方法がなかった。
【０００４】
本発明の目的は、被写体画像を実物と同じ大きさ、または指定した倍率で印刷することが可能となる電子カメラおよびカメラシステムを提供することにある。
【０００５】
【課題を解決するための手段】
（１）請求項１の発明による電子カメラは、ズーム光学系で構成される撮影光学系により撮像領域に投影された被写体像を光電変換する撮像部と、被写体距離を検出する測距部と、前記ズーム光学系の焦点距離を変更するズーム変更部と、前記ズーム変更部により前記ズーム光学系のズームポジションが所定の焦点距離に変更された前記撮影光学系により前記撮像部の撮像領域を前記被写体距離の位置に投影したものである撮影範囲を算出する撮影範囲演算部と、前記撮影範囲および前記撮像部の画素数に基づいて、前記撮像部からの画像情報に基づく被写体画像が前記撮影範囲とほぼ等しい大きさに印刷される印刷解像度を算出する印刷解像度演算部と、前記印刷解像度をタグ情報に含むヘッダ情報を前記画像情報とともに記憶領域に記憶させる記憶制御部とを備えたことを特徴とする。
（２）請求項２の発明による電子カメラは、ズーム光学系で構成される撮影光学系により撮像領域に投影された被写体像を光電変換する撮像部と、被写体距離を算出する測距部と、前記ズーム光学系の焦点距離を変更するズーム変更部と、前記ズーム変更部により前記ズーム光学系のズームポジションが所定の焦点距離に変更された前記撮影光学系により前記撮像部の撮像領域を前記被写体距離の位置に投影したものである撮影範囲を算出する撮影範囲演算部と、印刷倍率を設定する倍率設定部と、前記撮影範囲、前記撮像部の画素数および前記印刷倍率に基づいて、前記撮像部からの画像情報に基づく被写体画像が、前記撮影範囲の大きさに前記印刷倍率を乗じた大きさとほぼ等しい大きさに印刷される印刷解像度を算出する印刷解像度演算部と、前記印刷解像度および前記印刷倍率をタグ情報に含むヘッダ情報を前記画像情報とともに記憶領域に記憶させる記憶制御部とを備えたことを特徴とする。
【０００７】
【発明の実施の形態】
以下、図を参照して本発明の実施の形態を説明する。
−第１の実施の形態−
図１は本発明による電子カメラの一実施の形態を示す図であり、（ａ）は電子カメラを上方から見た平面図、（ｂ）はカメラを後方から見た背面図である。図１（ａ）に示すように、電子カメラ１の上面には、電源のオン／オフ操作を行うメインスイッチ４と、レリーズボタン５と、記録モードと再生モードとの切換操作を行うダイヤル６と、カメラ情報を表示する表示パネル７とが設けられている。ここで、記録モードとは被写体像を撮影し、その画像データを記録することができるモードであり、再生モードとは記録した画像データを読み出してカメラ背面に設けられた表示ＬＣＤ３（図１（ｂ）参照）に再生表示するモードである。
【０００８】
また、図１（ｂ）に示すように、カメラ背面には、画像表示用の表示ＬＣＤ３の他に、ファインダー接眼窓８、撮影光学系２をズーム操作するためのズーム切換ボタン９や各種操作ボタンが設けられている。ズーム切換ボタン９は、そのＷ側が押し込まれると撮影光学系２が広角側に駆動され、Ｔ側が押し込まれると望遠側に駆動される。記録モード時には後述するＣＣＤ２１４により撮像された被写体像が表示ＬＣＤ３に逐次表示され、再生モードでは後述するメモリカード４２４に記憶されている画像のサムネイル表示や個々の画像の再生表示などが表示ＬＣＤ３により行われる。
【０００９】
１０は表示ＬＣＤ３に設定メニューを表示させるためのメニューボタンであり、各種設定を行う際に設定メニューを表示させて選択ボタン１１ａ〜１１ｄにより設定すべき項目を選択する。後述する印刷サイズ設定の際には、ボタン１０，１１ａ〜１１ｄを操作して印刷サイズ設定メニューを表示ＬＣＤ３に表示させ、選択ボタン１１ａ〜１１ｄを操作して表示された複数の印刷サイズから所望のサイズを選択する。本実施の形態の電子カメラ１は、後述するように指定倍率撮影モードと、従来の電子カメラの記録モードに相当する通常撮影モードとを有している。このモードの切り換えはモード切換ボタン１２により行う。なお、各モードの詳細は後述する。
【００１０】
１３は、フォーカスモードを切り換えるためのフォーカスモードボタンである。本実施の形態では、スナップ写真やポートレート等の撮影に対応した通常ＡＦモードと、非常に近接した被写体の撮影に対応したマクロモードと、風景や建物などの遠景撮影に対応した遠景モードとの３つのフォーカスモードを有している。フォーカスモードボタン１３を押すたびに、上述した３つのフォーカスモードがサイクリックに切り替わる。
【００１１】
図２は図１に示した電子カメラの回路ブロック図である。ＲＯＭ４４３には、電子カメラ１の制御プログラムが記憶されている。メインスイッチ４をオンにすると電子カメラ１の電源がオンとなり、この制御プログラムがＣＰＵ４３９によって起動される。ダイヤル６により記録モードに設定されると、電子カメラ１は撮影可能となる。一方、ダイヤル６により再生モードに設定されると、記録媒体であるメモリカード４２４に記録されている画像データに基づく画像を表示ＬＣＤ３に再生表示することができる。なお、記録モード時には、ＣＣＤ２１４からの撮像信号に基づく画像が表示ＬＣＤ３に表示される。
【００１２】
撮影光学系２は複数のレンズ２０１〜２０４を有しており、焦点調節動作はレンズ駆動回路４３０により行われる。このレンズ駆動回路４３０による焦点調節動作は、通常、ＣＰＵ４３９の指令により行われるが、距離環４６２をマニュアル操作した際に出力される操作信号によっても焦点調節動作を行わせることができる。
【００１３】
撮影光学系２のレンズ２０３とレンズ２０４との間には、シャッタ板２０８および絞り２１５が設けられている。撮影光学系２に入射した被写体光は、レンズ２０１〜２０４、シャッタ板２０８および絞り板２１５を通過してＣＣＤ２１４の撮像面上に結像される。絞り板２１５およびシャッタ板２０８は円盤状に形成されており、円盤の回転中心にそれぞれ設けられたステップモータ４１５、４０８により駆動される。絞り板２１５には開口面積の異なる複数の絞り開口部（不図示）が設けられており、ステップモータ４１５で絞り板２１５を回転させて任意の１つの絞り開口部を光軸上に配設する。
【００１４】
シャッタ板２０８にはレンズ２０３を通過した全ての光束を遮光する完全遮光部（不図示）と、全ての光束を通過させる開口部（不図示）とが設けられている。露光時にはシャッタ板２０８の開口部が光路上にセットされ、露光終了とともに完全遮光部が光路上にセットされる。絞り板２１５を回動するステップモータ４１５は、駆動回路４５３により駆動制御される。シャッタ板２０８を回動するステップモータ４０８は、シャッタ駆動回路４５４により駆動制御される。
【００１５】
撮影の際には、まず、ＣＣＤ２１４に蓄積されている電荷が排出されるとともに、絞り板２１５の所定の開口部が光路上にセットされる。そして、ＣＣＤ２１４が所定時間露光されると電荷が再び蓄積される。上記電荷の排出から再びシャッタ板２０８の完全遮光部で光路が遮光されるまでの時間が、露光時間に対応している。
【００１６】
撮影光学系２によりＣＣＤ２１４の撮像面上に被写体像が結像されると、被写体像の光の強弱に応じた信号電荷が蓄積される。ＣＣＤ２１４にはデジタルシグナルプロセッサ(以下、ＤＳＰと呼ぶ)４３３から水平駆動信号が供給されるとともに、ＤＳＰ４３３により制御されるＣＣＤ駆動回路４３４から垂直駆動信号が供給される。すなわち、ＣＣＤ２１４はＤＳＰ４３３およびＣＣＤ駆動回路４３４によりタイミング制御され、ＣＣＤ２１４からの信号は画像処理部４３１に入力される。
【００１７】
画像処理部４３１はノイズ除去回路や直流再生回路などを有しており、ＣＣＤ２１４から出力された画像信号に対してノイズ除去、ゲインコントロールなどのアナログ処理を施す。画像処理部４３１から出力されたアナログの画像信号は、アナログ／デジタル変換回路(以下、Ａ／Ｄ変換回路と呼ぶ)４３２によりデジタル信号に変換される。変換後のデジタル画像データは、上述したＤＳＰ４３３に入力される。
【００１８】
ＤＳＰ４３３では、Ａ／Ｄ変換回路４３２から出力された画像データに対して輪郭補償やガンマ補正、ホワイトバランス調整などの画像処理が施される。また、ＤＳＰ４３３はバッファメモリ４３６およびメモリカード４２４に接続されているデータバスを制御して、各種画像処理が施された画像データをバッファメモリ４３６に一旦記憶させた後に、バッファメモリ４３６から画像データを読出し、所定の圧縮形式（例えば、ＪＰＥＧ方式）でデータ圧縮してメモリカード４２４に記録させる。
【００１９】
また、ＤＳＰ４３３は、ＣＣＤ２１４で撮像され上記画像処理が行われた後の画像データやメモリカード４２４から読み出され伸張された画像データをフレームメモリ４３５に記憶させ、それらの画像データに基づく画像を電子カメラ１に設けられた表示ＬＣＤ３に表示させる。さらに、ＤＳＰ４３３は、上述した画像データのメモリカード４２４への記録や伸張後の撮影画像データのバッファメモリ４３６への記録などにおける、データ入出力のタイミング管理も行う。
【００２０】
ＣＣＤ２１４の出力に基づく画像データが一時的に格納されるバッファメモリ４３６は、メモリカード４２４に対する画像データの入出力の速度の違いや、ＣＰＵ４３９やＤＳＰ４３３等における処理速度の違いを緩和するために利用される。タイマ４４５は時計回路を内蔵し、現在の時刻に対応するタイムデータをＣＰＵ４３９に出力するとともに、後述するモニタオンオフ制御の際のタイマとしても用いられる。このタイムデータは、上述した画像データとともにメモリカード４２４に記録される。
【００２１】
測色素子４１７は主要被写体およびその周囲の色温度を検出し、検出した色温度のデータを測色回路４５２へ出力する。測色回路４５２は測色素子４１７から出力されたアナログ信号に所定の処理を施してデジタル値に変換し、変換後のデジタル信号をＣＰＵ４３９へ出力する。インターフェース４４８は所定の外部装置(不図示)を接続して、ＣＰＵ４３９および接続した外部装置との間でデータの送受を行うように設けられている。４４０は表示パネル７を制御する表示回路であり、撮影動作における設定内容が表示パネル７に表示される。なお、表示ＬＣＤ３または表示パネル７には、後述する印刷サイズが表示される。
【００２２】
次に、電子カメラ１の動作説明を行う。上述したように、電子カメラ１では、ダイヤル６により記録モードと再生モードとの切換操作を行うことができる。記録モードとしては、従来の電子カメラの記録モードに対応する通常撮影モードと、指定倍率撮影モードとを有している。指定倍率撮影モードで撮影を行うと、撮影された被写体画像が設定倍率で印刷されるような印刷解像度が自動的に算出され、その印刷解像度は画像情報とともにメモリカード４２４に記録される。印刷時にメモリカード４２４に記録された印刷解像度で印刷すると、指定倍率の被写体画像が印刷される。
【００２３】
[通常撮影モードの説明]
まず、従来の電子カメラと同様の動作である通常撮影モードについて説明する。記録モードおよび再生モードの選択はダイヤル６の操作によって行う。撮影を行う場合には、ダイヤル６を記録モードに設定してメインスイッチ４をオンとするか、メインスイッチ４をオンとした後にダイヤル６を記録モードに設定する。ＣＣＤ２１４から出力された画像信号は、画像処理部４３１でノイズ除去やゲインコントロールなどのアナログ処理が施された後に、Ａ／Ｄ変換回路４３２によりデジタル信号に変換される。デジタル変換された信号は上述したＤＳＰ４３３に導かれ、そこで輪郭補償、ガンマ補正等の画像前処理が行われて一旦バッファメモリ４３６に格納される。
【００２４】
その後、ＣＰＵ４３９とバッファメモリ４３６との間で画像データの授受を行って画像データからホワイトバランス調整値を求め、この調整値に基づいてＤＳＰ４３３でホワイトバランス調整が行われる。ホワイトバランス調整後の画像データは、再びバッファメモリ４３６へ格納される。バッファメモリ４３６に格納された画像データは、ＤＳＰ４３３において表示ＬＣＤ３に表示するための画像データに処理される。処理された画像データはフレームメモリ４３５に書き込まれ、スルー画像と呼ばれる撮影モニタ画像として表示ＬＣＤ３に表示される。このスルー画像は、以上の動作が繰り返し行われることにより、撮影光学系２に入射される被写体光に基づいて所定の間隔で逐次更新される。
【００２５】
レリーズボタン５の半押しにより不図示の半押しスイッチがオンとされると、画像データのコントラストに基づいて撮影光学系２の焦点調節状態が検出され、ピントの合った被写体像がＣＣＤ２１４上に結像されるようにレンズ駆動回路４３０による焦点調節動作が行われる。また、レリーズボタン５が半押しされると、ＣＰＵ４３９により画像データから被写体の輝度が検出され、検出された輝度に基づいた露出演算が行われる。
【００２６】
なお、電子カメラ１では、焦点調節動作として「コンティニュアスＡＦモード」と呼ばれるモードと、「シングルＡＦモード」と呼ばれるモードとを有している。コンティニュアスＡＦモードでは、レリーズボタン５の操作に関係なく焦点調節動作が繰り返し行われ、レリーズボタン５の半押しによりフォーカスロックされる。一方、シングルＡＦモードでは、レリーズボタン５が半押しさたときにのみ焦点調節動作が行われフォーカスロックされる。
【００２７】
レリーズボタン５の半押しに続いて、さらにレリーズボタン５が全押しされると不図示の全押しスイッチがオンとなる。その結果、ＣＣＤ２１４に蓄積されている信号電荷が一旦吐き出された後に、シャッタ板２０８と絞り板２１５とが露出演算の結果に基づいて駆動され、ＣＣＤ２１４による撮像が行われる。
【００２８】
この撮像によりＣＣＤ２１４から出力された画像信号は、上述した一連の処理が施されバッファメモリ４３６に格納される。バッファメモリ４３６に格納された画像データは、ＤＳＰ４３３において表示ＬＣＤ３に表示するための画像データに処理された後にフレームメモリ４３５に書き込まれ、フリーズ画像と呼ばれる撮影画像が表示ＬＣＤ３に表示される。このような画像前処理が行なわれた画像データは、さらにＤＳＰ４３３によりデータ圧縮が行われ、ＣＰＵ４３９により所定のデータ名を付与されてタイマ４４５からのタイム情報とともに、フラッシュメモリ等の記録媒体（ＰＣカード、ＣＦカードなど）であるメモリカード４２４に記録される。
【００２９】
ＣＰＵ４３９には、ズーム切換ボタン９の操作によるズーム信号およびレリーズボタン５の操作による半押し操作信号と全押し操作信号がそれぞれ入力される。ズーム切換ボタン９が望遠側(Ｔ)に操作されると、ＣＰＵ４３９がレンズ駆動回路４３０を駆動して光学的にズーム倍率を拡大する。逆に、ズーム切換ボタン９がワイド側（Ｗ）に操作されると、ズーム倍率が小さくなる。
【００３０】
[指定倍率撮影モードの説明]
次に、指定倍率撮影モードについて説明する。本実施の形態の電子カメラ１では、予め複数の印刷倍率Ｍが図２のＲＯＭ４４３に記憶されており、被写体画像の印刷倍率Ｍの設定は、上述したメニューボタン１０および選択ボタン１１ａ〜１１ｄを用いて行う。例えば、印刷倍率Ｍとして、１倍、２倍および３倍が記憶されている場合、まず、メニューボタン１０により表示ＬＣＤ３に印刷倍率設定メニューを表示させる。印刷倍率設定メニューには各倍率が表示され、選択ボタン１１ａ〜１１ｄを用いて何れか一つを選択することにより、選択された倍率に印刷倍率Ｍが設定される。
【００３１】
詳細は後述するが、印刷倍率Ｍが例えば２倍に設定されると、印刷時の画像が実物の２倍に印刷されるような印刷解像度が算出される。また、ＲＯＭ４４３には印刷サイズが複数記憶されており、例えば、予めメニューボタン１０および選択ボタン１１ａ〜１１ｄを用いて何れかの印刷サイズを選択する。
【００３２】
図３は、被写体撮影から等倍画像の印刷までを行うカメラシステムの概略構成を示す図である。電子カメラ１で撮影された画像データは、カメラ１に着脱自在なメモリカード４２４を介してパソコン２０に取り込まれる。または、通信ケーブル２１を介してカメラ１からパソコン２０に画像データを転送しても良く、無線もしくはインターネット回線を介してパソコン２０に画像データを転送しても良い。パソコン２０には、表示モニタ２２およびプリンタ２３が接続されている。パソコン２０にはプリンタ２３を駆動するドライバソフトがインストールされており、画像を印刷する際の解像度や印刷サイズを自由に設定することができる。なお、パソコン２０を介さずに、プリンタ２３に直接画像データを入力するような構成としても良い。
【００３３】
図４は、図３に示したカメラシステムの撮影から印刷までの概略手順を示すフローチャートである。図４において、ステップＳ１０１からステップＳ１０３までがカメラ１側で行われる撮影の手順であり、ステップＳ１０４からステップＳ１０６までが印刷に関する手順である。ステップＳ１０１では、モード切換ボタン１２により通常撮影モードから指定倍率撮影モードに切り換える。この指定倍率撮影モード時に、表示ＬＣＤ３や表示パネル７に印刷倍率Ｍを表示するようにしても良い。ステップＳ１０２では、指定倍率撮影モードでカメラ撮影が行われる。ステップＳ１０３では、印刷解像度（後述する）を含むヘッダ情報および画像データがメモリカード４２４に記録される。
【００３４】
ステップＳ１０４では、例えば、メモリカード４２４をカメラ１から抜き取って図３のパソコン２０に装着するなどして、カメラ１から上記ヘッダ情報および画像データをパソコン２０側に読み込む。ステップＳ１０５では、ヘッダ情報に含まれる印刷解像度に合わせて画像処理する。ステップＳ１０６では、プリンタ２３により画像がＭ倍印刷される。
【００３５】
なお、上述した印刷サイズについては、初期状態ではＲＯＭ４４３に記憶されている印刷サイズの全てが選択状態にあるとする。撮影者は、必要に応じて所望の印刷サイズを選択状態に変更することができる。以下の説明では、印刷サイズとして、用紙サイズで用いられる所のＡ４，Ｂ５，Ａ５およびＢ６のサイズが予めＲＯＭ４４３に記憶されており、全てのサイズが選択状態にあるとして説明する。
【００３６】
次に、図４のステップＳ１０１からステップＳ１０３までに示したカメラ側の手順を、図５および６のフローチャートを用いてより詳細に説明する。図５および６は、カメラ１のＣＰＵ４３９で実行されるプログラムの処理手順を示すフローチャートである。ステップＳ２０１では、モード切換ボタン１２が操作されて指定倍率撮影モードに切り換えられたか否かを判定する。ステップＳ２０１において指定倍率撮影モード状態であると判定されると、ステップＳ２０２へ進む。一方、ステップＳ２０１で指定倍率撮影モードでないと判定されると、すなわち通常撮影モードに設定されている場合には、ステップＳ２０６へ進んで通常撮影モードに関する一連の処理が行われる。
【００３７】
ステップＳ２０２では、被写体距離の測定がより精度良く行われるように、絞りを開放にして被写界深度を浅くする。ステップＳ２０３では、撮影光学系２をマクロ状態に調整する。指定倍率撮影モードは印刷時に被写体画像が等倍または拡大印刷されるモードなので、一般的に被写体に近づいた状態で撮影が行われる。そのため、ステップＳ２０３では、自動的にマクロ領域となるように制御する。ステップＳ２０４では、撮影光学系２を予め定められたズームポジション推奨位置に調整する。ズームポジション推奨位置としては、例えば、レンズ収差が小さくなるようにテレ端とズーム端の中間位置にレンズを移動する。
【００３８】
ステップＳ２０５では、マクロモードが解除されたか否かを判定する。解除されていないと判定されるとステップＳ２０５へ進み、フォーカスモードボタン１３が操作されて解除されたと判定されたときには、ステップＳ２０６へ進んで通常撮影モードの処理を行う。ステップＳ２０７では、レリーズボタン５が半押しされたか否かを判定し、半押しされたと判定されるとステップＳ２０８に進み、半押しされていないと判定されるとステップＳ２０１へ戻る。
【００３９】
ステップＳ２０８では、選択された印刷倍率をＲＯＭ４４３より読み込む。ステップＳ２０９でレンズ駆動回路４３０により撮影光学系２の焦点調節動作を行い、そのときの被写体までの距離を算出したならば、ステップＳ１０へ進んで焦点距離を読み取る。
【００４０】
図７は被写体とＣＣＤ２１４との関係を示す図である。ＣＣＤ２１４の撮像領域の全体には、撮影範囲Ｗ内の被写体像が投影されている。なお、図７では、撮影範囲を示す符号Ｗは被写体位置における撮影範囲の長手寸法、すなわち、図１のカメラ１を正立で構えたときの横寸法であり、ＮはＣＣＤ２１４の撮像領域の幅方向の画素数である。また、ＰはＣＣＤ２１４の画素ピッチである。焦点距離ｆ，撮影光学系２と撮像面との距離ｆ’および被写体距離Ｌの間には次式（１）の関係が常に成り立つ。
【数１】
１／Ｌ＋１／ｆ’＝１／ｆ
ｆ’＝Ｌ・ｆ／（Ｌ−ｆ）      …（１）
【００４１】
図５に戻って、ステップＳ２１１では、図７に示す撮影範囲Ｗの被写体画像を設定された印刷倍率ＭでＡ４サイズの用紙に印刷できるか否かを判定する。ステップＳ２１１においてＹＥＳと判定されるとステップＳ２１２へ進み、ＮＯと判定されるとステップＳ２１７へ進む。ステップＳ２１１でＮＯと判定されてステップＳ２１７へ進んだ場合には、図８（ｂ）に示すように表示ＬＣＤ３の被写体画像３０に重ねてＡ４サイズに対応する矩形枠ＷＡ４を表示する。このとき、表示ＬＣＤ３には撮影範囲Ｗの被写体画像３０が表示されているが、倍率Ｍ倍で印刷されるので印刷範囲は図８（ａ）のようにＭ・Ｗとなる。図８（ｂ）の矩形枠ＷＡ４は、図８（ａ）のＡ４サイズを示す矩形枠に対応するものである。すなわち、矩形枠ＷＡ４はＡ４サイズの用紙に印刷可能な範囲を表している。
【００４２】
続くステップＳ２１８では、撮影範囲ＷがＡ４サイズの用紙に印刷できないことを警告を出す。警告の方法としては、例えば、図８（ｂ）のように印刷サイズを示す「Ａ４」というマーク３１を表示ＬＣＤ３に点滅表示させても良いし、電子カメラにスピーカを搭載して音声で知らせるようにしても良い。矩形枠ＷＡ４を表示することにより、どの程度被写体に近づけばＡ４用紙に印刷可能になるかを大まかに知ることができる。
【００４３】
ステップＳ２１１からステップＳ２１２へ進んだ場合には、ステップＳ２１２において撮影範囲Ｗの被写体画像を印刷倍率ＭでＢ５サイズの用紙に印刷できるか否かを判定する。ステップＳ２１２においてＹＥＳと判定されるとステップＳ２１４へ進み、ＮＯと判定されるとステップＳ２１３へ進む。ステップＳ２１４では、被写体画像とともにＢ５サイズに対応する矩形枠を表示ＬＣＤ３に表示する。このとき、表示ＬＣＤ３には、Ａ４サイズ以下でかつＢ５サイズよりも大きな撮影範囲Ｗの被写体画像が表示されている。
【００４４】
一方、ステップＳ２１２からステップＳ２１３へ進んだ場合には、ステップＳ２１３において撮影範囲Ｗの被写体画像を印刷倍率ＭでＡ５サイズの用紙に印刷できるか否かを判定する。ステップＳ２１３においてＹＥＳと判定されると、ステップＳ２１５へ進んで被写体画像とともにＢ６サイズに対応する矩形枠を表示ＬＣＤ３に表示する。このとき、表示ＬＣＤ３には、Ａ５サイズ以下の大きさの撮影範囲Ｗの被写体画像が表示されている。
【００４５】
一方、ステップＳ２１３においてＮＯと判定されると、ステップＳ２１６へ進んで被写体画像とともにＡ５サイズに対応する矩形枠を表示ＬＣＤ３に表示する。このとき、表示ＬＣＤ３には、Ｂ５サイズ以下でかつＡ５サイズよりも大きな撮影範囲Ｗの被写体画像が表示されている。ステップＳ２１９では、レリーズボタン５が全押しされたか否かを判定し、全押しされたと判定される図６のステップＳ２２０へ進み、その他の場合にはステップＳ２０９へ戻る。
【００４６】
なお、レリーズボタン５を全押しする前に、撮影範囲Ｗが表示された矩形枠ＷＡ４とほぼ等しくなるようにズーミング動作を自動または手動で行うようにしても良い。自動で行う場合には、例えば、被写体距離Ｌが一定の状態が所定時間以上継続したならばズーミングを行う。ズーミング後に被写体距離Ｌが変化したときには、ズームポジション推奨位置に戻す。
【００４７】
ステップＳ２１９でレリーズボタン５の全押しを行わなかった場合、ステップＳ２０９〜Ｓ２１９の処理が繰り返し実行されることになる。このとき、撮影者が被写体に近づいたり遠ざかったりすると撮影範囲Ｗが変化するので、それに応じて表示ＬＣＤ３に表示される矩形枠ＷＡ４の大きさも連続的に変化する。例えば、図８（ｂ）の状態から被写体に近づくと、図９（ａ）のようにＡ４サイズを示す矩形枠ＷＡ４が大きくなる。さらに被写体に近づいて撮影範囲ＷをＭ倍した大きさが印刷サイズであるＡ４サイズより小さくなると、図５のステップＳ２１１からステップＳ２１２、ステップ２１４へと順に進む。このとき、表示ＬＣＤ３には、図９（ｂ）に示すようなＢ５サイズの矩形枠ＷＢ５と、矩形枠ＷＢ５がＢ５サイズであることを示すマーク３２とが表示される。
【００４８】
なお、図５のステップＳ２１４，Ｓ２１５，Ｓ２１６，Ｓ２１７では、撮影範囲ＷをＭ倍した大きさより小さな印刷サイズの内の最大のものを表示ＬＣＤ３に表示するようにした。例えば、ステップＳ２１４では、撮影範囲ＷをＭ倍した大きさがＢ５サイズより大きくＡ４サイズ以下なので、Ｂ５，Ａ５およびＢ６サイズの矩形枠が表示可能だが、本実施の形態では最も大きいＢ５サイズの矩形枠ＷＢ５が表示される（図９（ｂ）参照）。しかし、最も大きな矩形枠だけでなく、図９（ｃ）のように大きな順に２つの矩形枠ＷＢ５，ＷＡ５を表示するようにしても良い。このとき、矩形枠ＷＢ５，ＷＡ５のサイズを示す「Ｂ５」および「Ａ５」というマーク３２を表示する。さらに、図９（ｂ）のように表示ＬＣＤ３の中央を示すセンターマークＣを表示して、被写体を矩形枠ＷＢ５の中央に位置合わせし易いようにしても良い。
【００４９】
図６に戻って、ステップＳ２２０ではＣＣＤ２１４で撮像された画像を取り込む。ステップＳ２２１では、撮影範囲Ｗの被写体画像が倍率Ｍで印刷されるための印刷解像度ｋを算出する。図７に示した印刷範囲Ｗは、画素数Ｎ，ピッチＰ，被写体距離Ｌおよび式（１）で算出される距離ｆ’を用いて式（２）のように表される。撮影範囲Ｗの被写体を印刷倍率Ｍで印刷する場合にはＮ画素が寸法Ｍ・Ｗに対応するので、印刷する際の印刷解像度ｋを式（３）のように設定すれば良い。式（２）を用いて式（３）を変形すると、式（４）のようになる。
【数２】
Ｗ＝Ｎ・Ｐ・Ｌ／ｆ’      …（２）
ｋ＝Ｎ／（Ｍ・Ｗ）        …（３）
＝ｆ’／（Ｐ・Ｌ・Ｍ）  …（４）
実際には、撮影光学系２を構成するレンズの誤差を考慮し、印刷解像度ｋは誤差係数αを用いて次式（５）のように表される。
【数３】
ｋ＝α・ｆ’／（Ｐ・Ｌ・Ｍ）  …（５）
【００５０】
図６に戻って、テップＳ２２２では画像データを所定の形式で圧縮する。ステップＳ２２３では、圧縮された画像データとともに、焦点距離ｆ、被写体距離Ｌ、画素数Ｎ、画素ピッチＰ、指定した印刷倍率Ｍ、印刷解像度ｋ等がタグ情報としてメモリカード４２４に記録される。このようにして、電子カメラ１側で行われる撮影から記録までの一連の処理が終了する。メモリカード４２４に記録する画像データとしては、ＣＣＤ２１４で撮像された画像全体のデータでも良いし、表示ＬＣＤ３に表示された印刷サイズに対応する矩形枠の内で、最も大きい矩形枠に囲まれた範囲の画像データのみを切り出して記憶させるようにしても良い。
【００５１】
なお、印刷解像度ｋをＴＩＦＦ形式で記録する場合には、タグ番号２８２〜２８４で規定される画像の幅の解像度、画像の高さの解像度、画像の幅と高さの解像度の単位に記録される。また、Ｅｘｉｆ形式で記録する場合には、タグ番号３７３８６，３７３８２，４１４８６〜４１４８８に定義される被写体距離、レンズ焦点距離、焦点面の高さの解像度、焦点面の幅の解像度、焦点面解像度単位の各情報が記録される。この場合、ユーザが自由に書き込めるフリーエリアが設けられているので、印刷倍率Ｍをこのフリーエリアに書き込み、プリンタ側でこれらを読み込んで、アプリケーションソフトで印刷解像度ｋを算出するようにしても良い。
【００５２】
また、通常撮影モードのときに他のファイル形式で記録されるカメラの場合には、指定倍率撮影モードが選択されたときに、上述したＴＩＦＦ形式やＥｘｉｆ形式に切り換えるようにしても良い。
【００５３】
被写体画像を印刷する場合には、上述したように画像データを図３のパソコン２０に取り込んで、パソコン２０に接続されたプリンタ２３で印刷する。このとき、プリンタ２３側では、タグ情報として記録されている印刷解像度ｋを読み込んで、印刷時の解像度として設定する。すなわち、印刷解像度ｋで印刷することにより、被写体画像が希望通りにＭ倍印刷されることになる。なお、アプリケーションソフトが印刷解像度ｋを自動的に読み込んで設定するようなものでなかった場合には、タグ情報を確認して手動で印刷解像度ｋに設定すれば良い。
【００５４】
［変形例１］
上述した実施の形態では、撮影者が被写体距離Ｌを変更すると、図９（ａ）に示すように表示ＬＣＤ３に表示されている矩形枠ＷＡ４の大きさが連続的に変化した。以下に述べる第１の変形例では、図１０（ａ）に示すように固定した大きさの矩形枠Ｒを表示するようにした。まず、表示ＬＣＤ３の表示領域を３つの領域Ｓ１，Ｓ２，Ｓ３に分割する。領域Ｓ１は矩形の境界３５の内側の領域である。領域Ｓ２は、矩形の境界３４と境界３５とで囲まれた領域である。領域Ｓ３は、表示ＬＣＤ３の表示枠と境界３４とで囲まれた領域である。矩形枠Ｒは境界３４と境界３５とのほぼ中間に表示される。
【００５５】
図１０（ｂ）に示すように、上述した矩形枠ＷＡ４が領域Ｓ１内に含まれるような場合には、矩形枠Ｒと「＞Ａ４」というマーク３７ａを表示する。このような表示により、矩形枠Ｒで示す範囲がＡ４サイズよりも大きいことを撮影者に認識させる。なお、図１０（ｂ）では、説明のために矩形枠ＷＡ４を表示ＬＣＤ３上に示したが、実際には表示されない。被写体距離が変化して図１１（ａ）のように矩形枠ＷＡ４が領域Ｓ２に含まれるような場合には、矩形枠Ｒで示される範囲はＡ４サイズとほぼ同じ大きさなので、矩形枠Ｒと「＝Ａ４」というマーク３７ｂを表示する。さらに、図１１（ｂ）のように矩形枠ＷＡ４が領域Ｓ３に含まれるような場合には、矩形枠Ｒで示される範囲はＡ４サイズよりも小さいので、矩形枠Ｒと「＜Ａ４」というマーク３７ｃを表示する。
【００５６】
撮影範囲Ｗが更に小さくなって、ステップＳ２１２からステップＳ２１４に進んだ場合には、図１０（ｂ）のマーク３７ａに代えて、Ｂ５サイズに対応する「＞Ｂ５」というマークを表示する。このように、第１の変形例では、撮影範囲Ｗが変化しても固定された大きさの矩形枠Ｒを表示するとともに、印刷サイズと比較した矩形枠Ｒの大きさを示すマーク３７ａ〜３７ｃを示すことにより、印刷サイズに対する矩形枠Ｒで示す範囲の概略の大きさを認識することができる。特に、矩形枠Ｒは大きさが変化しないので、連続して大きさを変える場合に比べて表示制御が非常に簡単になる。
【００５７】
また、図１０（ａ）のように、表示ＬＣＤ３に表示されている被写体画像の大きさと実物の大きさとの比である表示倍率ＨＭを、表示ＬＣＤ３に表示するようにしても良い。表示ＬＣＤ３の大きさをＬｗとし、式（３）を用いると、表示倍率ＨＭは次式（６）で算出される。
【数４】
ＨＭ＝Ｌｗ／Ｍ・Ｗ
＝Ｌｗ／（Ｎ／ｋ）  …（６）
【００５８】
［変形例２］
変形例１では、矩形枠Ｒの大きさは一定であったが、変形例２では矩形枠Ｒの大きさをＲ１，Ｒ２，Ｒ３の３段階に変化させる場合について説明する。図１２（ａ）に示すように、表示ＬＣＤ３には大きさの異なる３つの矩形枠Ｒ１，Ｒ２，Ｒ３を表示することができる。例えば、前述した矩形枠ＷＡ４が図１２（ｂ）のような大きさとなる撮影範囲の場合には、矩形枠ＷＡ４の大きさに最も近い矩形枠Ｒ１を表示する。このとき、変形例１と同様に、矩形枠Ｒ１と矩形枠ＷＡ４との大小関係に応じて「＞Ａ４」、「＝Ａ４」、「＜Ａ４」のようなマーク３７ａ〜３７ｃを表示する
【００５９】
被写体から遠ざかって、矩形枠ＷＡ４が図１２（ｃ）のような大きさとなる撮影範囲の場合には、矩形枠Ｒ２を表示するようにする。さらに遠ざかって、矩形枠ＷＡ４が図１２（ｄ）のような大きさとなる撮影範囲の場合には、矩形枠Ｒ３を表示する。図５のステップＳ２１２からステップＳ２１４へ進んだ場合には、矩形枠Ｒ１〜Ｒ３はＢ５サイズの枠に対応し、Ａ４サイズに関するマーク３７ａ〜３７ｃに代えて「＞Ｂ５」、「＝Ｂ５」、「＜Ｂ５」のようなマークを表示する。変形例２の場合には、矩形枠Ｒ１〜Ｒ３のように３段階に大きさを変化させて表示するので、変形例１の場合よりも詳細に撮影範囲を認識することができる。
【００６０】
［変形例３］
図１３は図５に示したフローチャートの変形例であり、図５のステップＳ２０２を削除するとともにステップＳ３０１，Ｓ３０２を追加したものである。ステップＳ２０３でマクロ領域にレンズを移動したならば、ステップＳ３０２でズームポジションをテレ端に設定する。このようにテレ端に設定すると、被写体距離Ｌの測定精度が高くなるという利点がある。また、ステップＳ３０２では、ズームポジションの移動があったか否かを判定し、移動があった場合にはステップＳ２０６の通常撮影モードの処理を実行し、移動が無い場合には図５のステップＳ２０７以後の処理を実行する。
【００６１】
なお、上述した実施の形態では式（４）や式（５）を用いて算出したが、予め、被写体距離Ｌと焦点距離ｆとを変数とした印刷解像度ｋをテーブルとしてＲＯＭ４４３に記憶しておき、得られた被写体距離Ｌおよび焦点距離ｆに対応する印刷解像度ｋをテーブルから導き出すようにしても良い。
【００６２】
また、印刷解像度ｋの演算を図３の電子カメラ１側で行ったが、タグ情報として記録されている被写体距離Ｌ、焦点距離ｆ、画素数Ｎ、画素ピッチＰおよび印刷倍率Ｍに基づいて、印刷側のＰＣ２０やプリンタ２３において印刷解像度ｋを算出するようにしても良い。なお、タグデータとして印刷倍率Ｍの記録の無い場合や、ゼロが記録されている場合には印刷倍率の指定がないものとして、すなわち等倍印刷として扱う。
【００６３】
上述した第１の実施の形態では、印刷サイズの「縦寸法：横寸法」の比と、ＣＣＤ２１４の「縦寸法：横寸法」の比とが同一であるとして説明した。しかし、撮影範囲Ｗおよび印刷サイズの「縦寸法：横寸法」の比が異なる場合、例えば、図１４（ａ）のように撮影範囲Ｗよりも印刷サイズＳの方が横長であった場合には、縦寸法を比較して撮影範囲Ｗおよび印刷サイズＳの大きさを比較する。一方、図１４（ｂ）のように撮影範囲Ｗよりも印刷サイズＳの方が縦長であった場合には、横寸法を比較して撮影範囲Ｗおよび印刷サイズＳの大きさを比較する。以下の説明でも同様に扱う。
【００６４】
さらにまた、印刷解像度ｋが好ましい印刷解像度範囲よりも大きすぎたり、小さすぎたりした場合には、画像を間引いたり、補間処理（例えば、バイキュービック補間処理）により解像度を上げたりしても良い。例えば、長手方向の長さが約５０ｃｍの撮影範囲を長手方向の画素数が２０００画素のＣＣＤ２１４で撮影して、その内のＡ４サイズ（長手方向の長さは約３０ｃｍ）の部分を等倍印刷した場合、印刷解像度が４０（ドット／ｃｍ）程度に低くなる。このような場合には。補間処理によって印刷解像度を８０（ドット／ｃｍ）に上げて、ジャギーが目立たないようにする。逆に、長手方向の長さが約５ｃｍの撮影範囲を撮影してこれを等倍印刷した場合には、印刷解像度は４００（ドット／ｃｍ）と不必要に大きくなるので、１５０（ドット／ｃｍ）程度となるように画像を間引いたり、補間処理したりして画像を縮小する。
【００６５】
また、電子カメラの撮影光学系２の前面にワイドコンバータやテレコンバータを装着した場合、自動的にまたは手動でこれらを装着したという情報がカメラ側に送信される。そのような場合には、焦点距離ｆの補正が行われる。また、このような場合に、指定倍率撮影モードを禁止するようにしたり、指定倍率撮影モードを解除したりしても良い。
【００６６】
以上説明した第１の実施の形態は、以下のような特徴を有する。
（ａ）表示ＬＣＤ３に印刷サイズに対応した矩形枠が表示されるので、印刷イメージを確認しつつ撮影を行うことができる。
（ｂ）撮影時に所望の印刷倍率Ｍを設定すれば、自動的にＭ倍印刷に対応する印刷解像度ｋが算出され、算出された印刷解像度ｋで印刷を行うことにより容易にＭ倍印刷を行うことができる。
【００６７】
−第２の実施の形態−
上述した第１の実施の形態では、印刷解像度ｋを式（４）、または誤差係数αを含む式（５）で算出した。しかしながら、誤差係数αはカメラ毎に異なっているので、特定の誤差係数αでは各カメラ毎の誤差を正確に補正することができない。そこで、本第２の実施の形態では、基準チャートをカメラで撮影することによって、カメラ毎に誤差を補正する方法について説明する。以下では、このような補正モードをキャリブレーションモードと呼び、例えば、図１のダイヤル６を操作して電子カメラをキャリブレーションモードに設定し、後述するキャリブレーションを行う。キャリブレーションモードでは、印刷倍率Ｍは自動的にＭ＝１に設定される。
【００６８】
図１５は、レンズ誤差に関するキャリブレーションの手順を示すフローチャートである。なお、キャリブレーションを行う際には、所定の印刷サイズ、例えばＡ４サイズおよびＢ５サイズの枠が印刷された基準チャートを予め用意しておく。キャリブレーションモードに設定すると図１５の処理がスタートする。ステップＳ５０１では撮影光学系２をマクロポジションかつテレ端に調整する。
【００６９】
撮影者は、ステップＳ５０１の設定状態で基準チャートに向けて電子カメラ１を構える。キャリブレーションモードでは常に焦点調節動作が行われるコンティニュアスＡＦ状態に設定されるので、基準チャートに対する焦点調整が行われる。ステップ５０２では、図１６（ａ）に示すようにＡ４サイズに相当する矩形枠ＷＡ４と基準チャート４０とが表示ＬＣＤ３に表示される。基準チャート４０には、Ａ４サイズの枠４１およびＢ５サイズの枠４２が描かれており、図１６（ａ）では枠４１，４２と矩形枠ＷＡ４とが表示ＬＣＤ３に表示されている。
【００７０】
前述したレンズの誤差を表す誤差係数αが１であれば、表示ＬＣＤ３上において枠４１と矩形枠ＷＡ４とが一致する。しかし、図１６（ａ）では一致していないので、誤差係数α≠１となっている。ここで、撮影者は枠４１と矩形枠ＷＡ４とが一致するように基準チャート４０から遠ざかり、一致したところでレリーズボタン５を全押しする。レリーズボタン５が全押しされると、図１５のステップＳ５０３からステップＳ５０４へ進み合焦動作が実行される。
【００７１】
ステップＳ５０５では、ステップＳ５０４の合焦動作時における被写体距離L2と焦点距離f2に基づいて補正値βを算出する。レンズ誤差等が無い理論的印刷解像度k1は計算式（７）で求まる。一方、合焦動作により得られる焦点距離f2および被写体距離L2に基づいて算出される誤差を含んだ印刷解像度k2は、式（８）で表される。ただし、f2’＝L2・f2／（L2−f2）である。補正値βはk1とk2との比で表され、式（９）のように算出される。なお、ここでは、Ｍ＝１、ＳはＡ４サイズとしている。
【数５】
k1＝Ｎ／（印刷サイズＳ）        …（７）
k2＝f2’／（Ｐ・L2・Ｍ）  …（８）
β＝k1／k2＝Ｐ・L2・Ｍ／（f2’・Ｓ）  …（９）
【００７２】
次いで、ステップＳ５０６では、図１６（ｂ）に示すようにＢ５サイズに相当する矩形枠ＷＢ５と基準チャート４０とが表示ＬＣＤ３に表示される。撮影者は枠４２と矩形枠ＷＢ５とが一致するように基準チャート４０から遠ざかり、一致したところでレリーズボタン５を全押しする。レリーズボタン５が全押しされると、図１５のステップＳ５０７からステップＳ５０８へ進み、合焦動作が実行される。このときの印刷解像度k3は、ステップＳ５０８の合焦動作で得られた焦点距離f3および被写体距離L3を用いて次式（１０）により算出される。ただし、f3’＝L3・f3／（L3−f3）である。ステップＳ５０９では、k1とk3との比である補正値γを算出する。補正値γは式（１１）のようになる。ステップＳ５１０では、式（１２）により補正値βと補正値γとの平均値α２を算出し、この平均値α２を第１の実施の形態の補正係数として設定する。
【数６】
k3＝f3’／（Ｐ・L3・Ｍ）  …（１０）
γ＝k1／k3＝Ｐ・L3・Ｍ／（f3’・Ｓ）  …（１１）
α２＝（β＋γ）／２      …（１２）
【００７３】
第２の実施の形態の電子カメラでは、電子カメラ毎に補正係数α２を設定するようにしたので、第１の実施の形態のように特定の補正係数αで補正する場合よりも正確にレンズ誤差等を補正することができる。
【００７４】
以上説明した実施の形態と特許請求の範囲の要素との対応において、メモリカード４２４は記憶領域を、表示ＬＣＤ３は表示モニタを、フォーカスモードボタン１３は解除手段を、マーク３１は警告手段を。プリンタ２３は印刷装置を、ＤＳＰ４３３は画像処理部を、レンズ駆動回路４３０はズーム変更部を、ＣＣＤ２１４は撮像部を、モード切換ボタン１２はモード設定手段を、メニューボタン１０および選択ボタン１１ａ〜１１ｄは倍率設定部、プリンタ２３は印刷装置を、ＣＰＵ４３９は測距部、撮影範囲演算部、印刷解像度演算部、記憶制御部、ズーム制御部、モード制御手段を、ＰＣ２０は請求項９の撮影範囲演算部および印刷解像度演算部をそれぞれ構成する。
【００７５】
【発明の効果】
以上説明したように、本発明によれば、撮像された被写体画像情報を印刷解像度演算部で算出された印刷解像度で印刷することにより、自動的に等倍または指定倍率の被写体画像が印刷される。
また、請求項３の発明のように表示倍率を表示モニタに表示することにより、印刷イメージが認識しやすくなる。
【図面の簡単な説明】
【図１】  本発明による電子カメラの一実施の形態を示す図であり、（ａ）は電子カメラを上方から見た平面図、（ｂ）はカメラを後方から見た背面図である。
【図２】  図１に示す電子カメラの回路ブロック図である。
【図３】  カメラシステムの概略構成図である。
【図４】  図３のカメラシステムにおける撮影から印刷までの手順を示す図である。
【図５】  図３のステップＳ１０１からステップＳ１０３までの手順を詳細に示すフローチャートである。
【図６】  図５に続く処理手順を示すフローチャートである。
【図７】  被写体とＣＣＤ２１４との関係を示す図である。
【図８】  画像表示を説明する図であり、（ａ）は印刷範囲を示し、（ｂ）は表示ＬＣＤ３に表示された矩形枠ＷＡ４を示す。
【図９】  表示ＬＣＤ３に表示された矩形枠を示す図であり、（ａ）は矩形枠ＷＡ４の変化を示し、（ｂ）は矩形枠ＷＢ５を示し、（ｃ）は矩形枠ＷＡ５，ＷＢ５を示す。
【図１０】  変形例１の矩形枠Ｒを説明する図であり、（ａ）は矩形枠Ｒと領域Ｓ１〜Ｓ３との関係を示す図で、（ｂ）はマーク３７ａが表示される場合を示す図である。
【図１１】  矩形枠Ｒを説明する図であり、（ａ）はマーク３７ｂが表示される場合を示す図で、（ｂ）はマーク３７ｃが表示される場合を示す図である。
【図１２】  変形例２の矩形枠Ｒ１〜Ｒ３を説明する図であり、（ａ）は矩形枠Ｒ１〜Ｒ３の関係を示す図で、（ｂ）は矩形枠Ｒ１が表示された図、（ｃ）は矩形枠Ｒ２が表示された図、（ｄ）は矩形枠Ｒ３が表示された図である。
【図１３】  変形例３を説明する図であり、図５に示したフローチャートの変形例を示す。
【図１４】  印刷サイズＳと撮影範囲Ｗとの関係を示す図であり、（ａ）は印刷サイズＳの方が横長であった場合を示し、（ｂ）は印刷サイズＳの方が縦長であった場合を示す。
【図１５】  第２の実施の形態を説明する図であり、キャリブレーションモードのフローチャートを示す。
【図１６】  表示ＬＣＤ３に表示された基準チャートと矩形枠との関係を示す図であり、（ａ）は枠４１と矩形枠ＷＡ４とを示し、（ｂ）は枠４２と矩形枠ＷＢ５との関係を示す。
【符号の説明】
１  電子カメラ
２  撮影光学系
３  表示ＬＣＤ
１０  メニューボタン
１１ａ〜１１ｄ  選択ボタン
１２  モード切換ボタン
２３  プリンタ
４０  基準チャート
２１４  撮像部
４３０  レンズ駆動回路
４３３  ＤＳＰ
４３９  ＣＰＵ
４２４  メモリカード
Ｌ  被写体距離
Ｎ  画素数
Ｐ  画素ピッチ
Ｗ  撮影範囲
Ｒ，Ｒ１〜Ｒ３，ＷＡ４，ＷＡ５，ＷＢ５  矩形枠
【図１】
0004586289.tif 000002
【図２】
0004586289.tif 000003
【図３】
0004586289.tif 000004
【図４】
0004586289.tif 000005
【図５】
0004586289.tif 000006
【図６】
0004586289.tif 000007
【図７】
0004586289.tif 000008
【図８】
0004586289.tif 000009
【図９】
0004586289.tif 000010
【図１０】
0004586289.tif 000011
【図１１】
0004586289.tif 000012
【図１２】
0004586289.tif 000013
【図１３】
0004586289.tif 000014
【図１４】
0004586289.tif 000015
【図１５】
0004586289.tif 000016
【図１６】
0004586289.tif 000017